(57)【要約】【課題】所定の操作ボタンを押すだけの簡単な操作によって、電源が自動的に入って、操作することができるようにしたビデオカメラを提供する。【解決手段】記録ボタン２２が１秒以上長押しされたか否かを判定する（ステップ１００、ステップ１０５）。そして、１秒以上長押しされた場合、ビデオカメラの電源がオンになる（ステップ１１０）。続いて、前回記録した際の解像度、画質、録画スピードの組み合せや、記録モードの設定で記録手段が起動する（ステップ１１５）。ここで、メモリーカードが装置本体のカードスロットにセットされているか否かを判断する（ステップ１２０）。メモリーカードがカードスロットにセットされていれば、記録が開始される（ステップ１３０）。このようにして、記録ボタン２２を１秒以上長押ししたとき、すぐに記録を開始することができるように構成した。【選択図】図３
2009060196.tif 000002
【特許請求の範囲】
【請求項１】
少なくともメモリーカードへカメラにより撮影した映像を記録する記録手段と、該メモリーカードに記録された前記映像がモニタ画面に再生表示されるようにした再生手段とを具備し、装置本体に前記記録手段若しくは前記再生手段を作動させる操作ボタンを備えた操作部を設け、制御回路等の回路及び制御プログラム等が記録保管された内部メモリを備えた基板を内蔵したビデオカメラであって、前記装置本体に設けた電源スイッチを操作して、該ビデオカメラを起動させた後、前記操作ボタンを操作することによって、前記記録手段若しくは前記再生手段が実行されるようにしたビデオカメラにおいて、
前記装置本体の制御回路に、
前記操作部の所定の前記操作ボタンを所定時間長押ししたとき、前記ビデオカメラの電源が自動的に入り、前記記録手段若しくは前記再生手段を実行するようにしたプログラムを設けたことを特徴とするビデオカメラ。
【請求項２】
前記装置本体の制御回路に、
前記操作部の前記操作ボタンのうち、前記記録手段を作動させるための記録ボタンを所定時間長押ししたとき、前記ビデオカメラの電源が自動的に入り、記録が開始される手順を実行させるためのプログラムを設けたことを特徴とする請求項１に記載のビデオカメラ。
【請求項３】
前記装置本体の制御回路に、
前記メモリーカードが、前記装置本体にセットされているか否かを判断する手順と、
該メモリーカードが前記装置本体にセットされているときに、撮影を開始する手順と、
該メモリーカードが前記装置本体にセットされていないときに、前記モニタ画面に、エラーメッセージを表示する手順と
を実行させるためのプログラムを設けたことを特徴とする請求項１若しくは請求項２に記載のビデオカメラ。
【発明の詳細な説明】
【技術分野】
【０００１】
本発明は、ビデオカメラに関し、特に電源スイッチを操作した後に記録・再生等の各種操作を行うように構成したビデオカメラに関する。
【背景技術】
【０００２】
映像及び音声を記録する記録手段、記録された該映像及び該音声を再生する再生手段が設けられ、携帯可能なビデオカメラ等は、前記記録手段や前記再生手段を機能させるために、先ず電源を入れて該ビデオカメラを起動させた後、続いて、前記記録手段や前記再生手段の操作をするように構成されている。
【０００３】
さらに、上記のビデオカメラ等の電源スイッチには、勝手に電源が入ったり或いは切れたりしないように、該電源スイッチをオフ側の端部或いはオン側の端部で固定保持するホールドが設けてあることがある。そして、電源スイッチをホールドすることにより、電池等の消耗を防ぎ、また使用者が意図しない記録・再生が実行されることを防ぐことができるようにされている。
【特許文献１】引用なし
【発明の開示】
【発明が解決しようとする課題】
【０００４】
上記のビデオカメラは、先ず電源を入れて起動させてから、次に記録・再生等の操作を行う２段階の操作が必要となる。また、電源スイッチがホールドされていれば、さらに、ホールドされている状態を解除する操作が上記の操作に加えられる。そのため、迅速に操作することが難しい。したがって、撮影のタイミングを逃してしまうおそれがある。
【０００５】
本発明は、上記の課題を解決するためになされたものであって、所定の操作ボタンを押すだけの簡単な操作によって、電源が自動的に入って、操作することができるようにしたビデオカメラを提供することを目的とする。
【課題を解決するための手段】
【０００６】
請求項１に記載のビデオカメラは、少なくともメモリーカードへカメラにより撮影した映像を記録する記録手段と、該メモリーカードに記録された前記映像がモニタ画面に再生表示されるようにした再生手段とを具備し、装置本体に前記記録手段若しくは前記再生手段を作動させる操作ボタンを備えた操作部を設け、制御回路等の回路及び制御プログラム等が記録保管された内部メモリを備えた基板を内蔵したビデオカメラであって、前記装置本体に設けた電源スイッチを操作して、該ビデオカメラを起動させた後、前記操作ボタンを操作することによって、前記記録手段若しくは前記再生手段が実行されるようにしたビデオカメラにおいて、
前記装置本体の制御回路に、前記操作部の所定の前記操作ボタンを所定時間長押ししたとき、前記ビデオカメラの電源が自動的に入り、前記記録手段若しくは前記再生手段を実行するようにしたプログラムを設けたことを特徴とする。
【０００７】
また、請求項２に記載のビデオカメラは、請求項１に記載の発明において、前記装置本体の制御回路に、前記操作部の前記操作ボタンのうち、前記記録手段を作動させるための記録ボタンを所定時間長押ししたとき、前記ビデオカメラの電源が自動的に入り、記録が開始される手順を実行させるためのプログラムを設けたことを特徴とする。
【０００８】
さらに、請求項３に記載のビデオカメラは、請求項１若しくは請求項２に記載の発明において、前記装置本体の制御回路に、前記メモリーカードが、前記装置本体にセットされているか否かを判断する手順と、該メモリーカードが前記装置本体にセットされているときに、撮影を開始する手順と、該メモリーカードが前記装置本体にセットされていないときに、前記モニタ画面に、エラーメッセージを表示する手順とを実行させるためのプログラムを設けたことを特徴とする。
【発明の効果】
【０００９】
請求項１に記載のビデオカメラによれば、操作部の所定の操作ボタンを所定時間長押しするだけで、自動的にビデオカメラの電源が入り、記録手段若しくは再生手段が実行されるようにした。そのため、該ビデオカメラの記録手段、若しくは再生手段を実行するための操作に先立って、電源スイッチを入れ、ビデオカメラを予め起動させる必要が無いことから、素早く記録手段若しくは再生手段を実行することができる。
また、操作ボタンを所定時間長押しするようにしたことで、手が当ったとき等、不意にビデオカメラが作動して、記録手段若しくは再生手段が実行されてしまうことを防止することができる。
【００１０】
請求項２に記載のビデオカメラによれば、操作部の操作ボタンのうち、記録手段を機能させるための記録ボタンを所定時間長押しするだけで、ビデオカメラの電源が自動的に入り、続いて記録が開始されるようにした。そのため、記録開始に先立って、ビデオカメラを起動させる必要が無く、素早く記録を開始することができる。
【００１１】
請求項３に記載のビデオカメラによれば、メモリーカードが装置本体にセットされていないときには、撮影が開始されないようにした。そのため、電源スイッチをホールドしていなくても、袋等に入れて持ち運ぶ際に収納されているものが互いに押し合い、記録ボタンが押圧されたとき等に、誤って撮影が開始され、電池が消耗してしまうことを防ぐことができる。
【実施例１】
【００１２】
本発明のビデオカメラの記録方法に係る実施例を、添付した図面にしたがって説明する。図１には、ビデオカメラの一形式であるヘッド分離型ビデオカメラを示す。
【００１３】
ヘッド分離型ビデオカメラ１０は、装置本体１１と、カメラユニット１３にケーブル１４の一端１４ａをコネクタで接続して形成したカメラヘッド１２とからなり、ケーブルの他端１４ｂを分離可能に該装置本体１１にコネクタ接続して構成される。
装置本体１１は、前面部にモニタ画面２１、記録ボタン２２、セレクトキー２３ａ，２３ｂを配設し、側面部に、電源スイッチ２４、メニューキー２５、エンターキー２６が配設されている。
カメラユニット１３は、複数枚の凹レンズ又は凸レンズを組み合わせたレンズユニットとＣＣＤ等の撮像素子とから構成されている。
また、該ヘッド分離型ビデオカメラ１０は、図２に示したブロック図のように、装置本体１１に電源回路３０、制御回路３１、映像処理回路３２、ＣＣＤ駆動回路３３等の回路が設けられ、記録手段、記録設定等が記憶保管される内部メモリ３４と、メモリーカード３５からなる外部記憶媒体が設けられている。
【００１４】
また、図示は省略するが、装置本体１１の後面部に衣服の襟部等を挟持するベルトクリップを設け、底面部にはメモリーカード３５を挿入するカードスロットを設けた。
【００１５】
モニタ画面２１には、カメラヘッド１２で撮影した映像や、メモリーカード３５に記録されている映像が表示される。
記録ボタン２２は所定時間押下することで撮影の開始又は終了を制御することができる。
セレクトキー２３ａ，２３ｂは、モニタ画面２１に、設定画面や、再生リスト等が表示されたとき、セレクトキー２３ａを押すことによって選択された項目を上方に移動させ、セレクトキー２３ｂを押すことによって選択された項目を下方に移動させることができる。
【００１６】
電源スイッチ２４はスライド構造を有し、電源がオンになる側と反対方向に、該電源スイッチ２４を固定保持するホールドが設けられている。
メニューキー２５は、押下すると各種設定や、記録、再生等を選択することができる。
エンターキー２６は、押下することでセレクトキー２３ａ，２３ｂで選択した項目を決定をすることができる。また、記録終了の際に所定時間押下すると、モニタ画面２１に再生リストを表示し、記録終了後に記録したファイルをすぐに確認することができるように構成されている。
【００１７】
カメラヘッド１２で撮像された映像は、装置本体１１にセットしたメモリーカード３５へ時系列毎にフレーム単位で記録される。そのため、１秒当りのコマ数（フレーム数）を所定の値に設定することで録画スピードを調節することができる。また、撮像素子は、映像処理回路で所定の解像度に設定することができ、また画質を設定することができる。
したがって、録画スピード、解像度、画質を組み合わせることで、高画質で短時間録画された映像から、低画質で長時間録画された映像まで、任意に設定した映像を記録することができる。
また、映像のみの記録、映像及び音声の記録、音声のみの記録と、３つの記録モードを選択可能に設定した。
上記の選択した録画スピード、解像度、画質の組合せや、記録モードの設定は、一度設定すると、再度選択するまで、装置本体１１に設けられた内部メモリ３４に記録保管される。
【００１８】
上記のように構成したヘッド分離型ビデオカメラ１０を用いた本発明に係るビデオカメラの記録・再生等の各種処理の概略のフローチャートを図３に示す。
【００１９】
従来、ヘッド分離型ビデオカメラ１０を使用するためには、図３の一点鎖線で囲われた部分に示したように、先ず電源スイッチ２４を入れて、ヘッド分離型ビデオカメラを起動させなければならない。
【００２０】
ステップＡで電源スイッチ２４が入れられると、ステップＢで、ホールドされているか否か判断される。ホールドされている場合は電源は入らず、されていない場合に電源が入る。
【００２１】
電源がオンになると、ヘッド分離型ビデオカメラは起動し、モニタ画面２１に起動画面等が表示された後、メモリーカード３５へ記録済みのファイルのファイル名が表示される（ステップＣ）。
【００２２】
そして、メニューキー２５を押すと、メニューが選択され、各設定画面に移行する（ステップＤ）。また、セレクトキー２３ａ，２３ｂを押してファイルを選択し（ステップＥ）、さらにエンターキー２６を押して再生するファイルを選択する（ステップＦ）と、メモリーカード３５に記憶保管されている記録ファイルのうちの一つを選択して再生することができる。
【００２３】
ここで、ステップＧは、記録ボタン２２を押して、記録手段を起動させる手順である。記録ボタン２２を押すと続いてステップＨで、該記録ボタン２２が１秒以上押されたか否かが判断される。１秒以上でない場合、起動した記録手段が一時的に停止した状態である記録スタンバイとなる（ステップＩ）。そして、再度記録ボタン２２を押下する（ステップＪ）と、メモリーカード３５が装置本体１１にセットされているか否か判断する後述するステップ１２０を経て、記録が開始される。また、ステップＨで記録ボタン２２が１秒以上押された場合、上記ステップＩとステップＪの操作を省略し、ステップ１２０を経て、すぐに記録を開始することができる。
【００２４】
一方、本実施例に係るビデオカメラは、以下の手順にしたがって、電源スイッチ２４を操作することなく、記録ボタン２２のみの操作により素早く映像・音声の記録を開始することもできる。
ステップ１００で、ヘッド分離型ビデオカメラ１０の前面部に配した記録ボタン２２を押下する。
ステップ１０５は、記録ボタン２２が１秒以上長押しされたか否かを判定する手順である。そして、１秒以上長押しされた場合、ヘッド分離型ビデオカメラ１０の電源がオンになる（ステップ１１０）。
このようにすると、記録ボタン２２に手が当ったとき等、瞬間的に記録ボタン２２が押された場合に、ヘッド分離型ビデオカメラ１０の電源が不意に入ってしまうことを防ぐことができる。
【００２５】
ステップ１１０で、ヘッド分離型ビデオカメラ１０の電源がオンになると、続いてステップ１１５で前回記録した際の解像度、画質、録画スピードの組み合せや、記録モードの設定で記録手段が起動する。このとき、前回の撮影時の設定をそのまま利用することにより、記録手段が起動する時間を短縮することができる。
【００２６】
ステップ１２０は、メモリーカード３５が装置本体１１のカードスロットにセットされているか否かを判断する手順である。本実施例で用いるヘッド分離型ビデオカメラ１０で撮影された映像等は、メモリーカード３５に記録される。そのため、カードスロットにメモリーカード３５がセットされていない場合、ステップ１２５でエラーメッセージが、モニタ画面２１に表示される。
【００２７】
ステップ１２０で、メモリーカード３５が装置本体１１のカードスロットにセットされている場合、ステップ１３０で記録が開始される。
【００２８】
上記のように記録ボタン２２を押すだけで、ヘッド分離型ビデオカメラが起動し、すぐに記録が開始されるように構成した。そのため、タイミングを逃さずに撮影することができる。また、ワンタッチで映像・音声の記録を開始することができるので、従来の電源を入れて起動させてから操作する場合と比べて、操作を容易にすることができる。さらに、記録開始直前まで電源を入れなくて済むので、バッテリーの消費を抑えることができる。
【００２９】
上記のステップ１００からステップ１３０に示したように、本実施例の記録手段は、記録ボタン２２を１秒以上長押しすることにより素早く記録を開始することができる。次に、該記録手段は以下のように終了し、その記録終了の手順は、エンターキー２６又は録画ボタン２２が押されることによって始まる。
ステップ１３５は、エンターキー２６が２秒以上押されたか否か判断する手順である。エンターキー２６を長押しすることによって、瞬間的に記録ボタン２２若しくはエンターキー２６が押された場合に、誤って撮影が終了してしまうことを防ぐことができる。
２秒以上エンターキー２６が押されると、次のステップ１４０に移行する。一方、２秒以上エンターキー２６が押されていない場合、ステップ１４５に移行する。
【００３０】
ステップ１４５では、記録ボタン２２が２秒以上押されたか否か判断する。
記録ボタン２２もまた、２秒以上押されていない場合は、撮影は停止せず、記録は続行される。しかし、記録ボタン２２が２秒以上押された場合は、撮影が一時的に停止し、記録スタンバイに移行する。その後、再度記録ボタン２２を押下すれば、記録を続行することができる。
【００３１】
ステップ１４０では、カメラによる撮影が停止する。
ステップ１５０は、メモリーカード３５に記録された映像・音声からなるファイルに、保存用のファイル名をつけて、記録ファイルを完成させる手順である。そして、ステップ１５５で、記録が終了する。
完成した記録ファイルは、モニタ画面２１にファイル名が再生リストとして表示され、撮影後すぐに確認することができる。
【００３２】
上記のように、ヘッド分離型ビデオカメラ１０は、装置本体１１の前面部に設けた記録ボタン２２を１秒以上長押しするだけで、該ヘッド分離型ビデオカメラ１０の電源が自動的に入り、すぐに記録を開始することができるように構成した。
そのため、例えば、ヘッド分離型ビデオカメラ１０のカメラユニット１３を自動車のダッシュボード上、或いはバイクのタンク上やライダーのヘルメットに固定し、装置本体１１を衣服に取付固定して、臨場感あふれるオンボード映像を撮影するような場合、手袋をしていて細かい作業ができないときでも、記録ボタン２２を１秒以上長押しするだけで、容易に撮影を開始することができる。
【００３３】
さらに、従来の手順で記録を開始するためには、先ず電源スイッチ２４を入れて、ヘッド分離型ビデオカメラ１０を起動させなければならなかった。しかし、本実施例では、最初に記録ボタン２２を１秒以上長押しするという簡単な操作で直接記録手段を起動させて、ヘッド分離型ビデオカメラ１０の起動時間を省略することができる。そのため、迅速にヘッド分離型ビデオカメラ１０の電源が入り、すぐに記録を開始することができる。
また、上記の記録方法はヘッド分離型ビデオカメラ１０に限定されるものではなく、記録手段を具備し、先ず電源を入れて機器を起動させた後、各種操作を行うように構成されているビデオカメラ、オーディオプレイヤー等の携帯型電子機器に適用することができる。
【図面の簡単な説明】
【００３４】
【図１】本実施例に係るビデオカメラであるヘッド分離型ビデオカメラを示す斜視図である。
【図２】本実施例に係るビデオカメラであるヘッド分離型ビデオカメラの回路構成の概略を示す説明図である。
【図３】本実施例に係るビデオカメラの記録・再生等の各種処理の概略をフローチャートで示す説明図である。
【符号の説明】
【００３５】
１０…ヘッド分離型ビデオカメラ、１１…装置本体、１２…カメラヘッド、１３…カメラユニット、１４，１４ａ，１４ｂ…ケーブル、
２１…モニタ画面、２２…記録ボタン、２３ａ，２３ｂ…セレクトキー、２４…電源スイッチ、２５…メニューキー、２６…エンターキー、
３０…電源回路、３１…制御回路、３２…映像処理回路、３３…ＣＣＤ駆動回路、３４…内部メモリ、３５…メモリーカード。
【図１】
2009060196.tif 000003
【図２】
2009060196.tif 000004
【図３】
2009060196.tif 000005